(57)【特許請求の範囲】
【請求項１】
回転操作される操作部材と、
前記操作部材により囲まれており且つ前記操作部材を回転操作したときに前記操作部材と一体回転する押圧操作部材と、
前記操作部材を回転操作したときに前記操作部材及び前記押圧操作部材と一体回転する導光照明部と、
前記操作部材が所定の回転操作位置にあるときに前記導光照明部に照明光を供給する照明光供給部と、
を有することを特徴とする操作装置。
【請求項２】
請求項１記載の操作装置において、
前記照明光供給部は、前記操作部材の回転操作位置に応じて、前記導光照明部に異なる色の照明光を供給する操作装置。
【請求項３】
請求項１または２記載の操作装置において、
前記導光照明部は、照明光入射部を有しており、
前記照明光供給部は、前記操作部材が前記所定の回転操作位置にあるときに前記照明光入射部に照明光を出射する発光源を有している操作装置。
【請求項４】
請求項３記載の操作装置において、
前記操作部材が前記所定の回転操作位置にあるときに前記発光源を発光させ、前記操作部材が前記所定の回転操作位置にないときに前記発光源を発光させない発光制御部をさらに有している操作装置。
【請求項５】
請求項１ないし４のいずれか１項記載の操作装置において、
前記導光照明部は、前記押圧操作部材と前記操作部材の間の空間を埋めながら発光する操作装置。
【請求項６】
複数の機能から一の機能を選択する為に操作される第１操作部材と、
前記第１操作部材の近傍に配置され、前記第１操作部材の選択機能に応じて所定の状態の光束を発する発光部と、
前記第１操作部材と前記発光部の近傍に配置され、前記第１操作部材により選択された機能を発揮させる為に操作される第２操作部材と、
前記第１操作部材が所定の操作位置にあるときに前記発光部から光束を供給される導光照明部と、
を有し、
前記第１操作部材と前記第２操作部材は、互いに異なる方向に操作され、
前記第１操作部材を操作したときに、前記第１操作部材と前記第２操作部材と前記導光照明部が一体変位する、
ことを特徴とする操作装置。
【請求項７】
回転操作される回転操作ダイヤルと、
前記回転操作ダイヤルを回転操作したときに前記回転操作ダイヤルと一体回転する一体回転部材と、
前記回転操作ダイヤルを回転操作したときに前記回転操作ダイヤル及び前記一体回転部材と一体回転する導光照明部と、
前記回転操作ダイヤルが所定の回転操作位置にあるときに前記導光照明部に照明光を供給する照明光供給部と、
を有し、
前記一体回転部材は、前記回転操作ダイヤルと異なる方向に変位する変位操作部材からなる、
ことを特徴とする回転操作ダイヤル装置。
【請求項８】
請求項１ないし７のいずれか１項記載の操作装置または回転操作ダイヤル装置を備えた電子機器。
【請求項９】
回転操作される環状の回転操作ダイヤルと、
前記環状の回転操作ダイヤルにより囲まれており且つ前記環状の回転操作ダイヤルを回転操作したときに前記環状の回転操作ダイヤルと一体回転する円形の押圧操作部材と、
前記環状の回転操作ダイヤルを回転操作したときに前記環状の回転操作ダイヤル及び前記円形の押圧操作部材と一体回転する導光照明部と、
前記環状の回転操作ダイヤルが所定の回転操作位置にあるときに前記導光照明部に照明光を供給する照明光供給部と、
を有し、
前記導光照明部は、前記環状の回転操作ダイヤルと前記円形の押圧操作部材の間の環状空間を埋めながら発光する、
ことを特徴とする回転操作ダイヤル装置。
【発明の詳細な説明】
【技術分野】
【０００１】
本発明は、操作装置及び回転操作ダイヤル装置並びにこれらを備えた電子機器に関する。
【背景技術】
【０００２】
各種電子機器、例えばデジタルカメラ（光学機器）には、電源のオンオフや撮影モード等の各種設定を行うための回転操作ダイヤル装置（操作装置）が搭載されている。この回転操作ダイヤル装置は、夜間等の暗い状況下で美観や視認性を向上させる目的で、回転操作ダイヤルまたはその近傍を照明する機能を持っている。
【先行技術文献】
【特許文献】
【０００３】
【特許文献１】特開昭６２−１９１８３８号公報
【特許文献２】特開平５−２８１３７７号公報
【特許文献３】特開２００７−３５３０３号公報
【発明の概要】
【発明が解決しようとする課題】
【０００４】
しかし、従来の回転操作ダイヤル装置は、照明機能を実現するための構造部（例えばＬＥＤやライトガイドやこれらを取り付けるための部品等を含む）の大型化、複雑化、高コスト化、部品点数の増加が避けられず、また使い勝手の良いものではなかった。
【０００５】
本発明は、以上の問題意識に基づいて完成されたものであり、照明機能を実現するための構造部の小型化、簡単化、低コスト化、部品点数の減少を図った、使いやすい操作装置及び回転操作ダイヤル装置並びにこれらを備えた電子機器を得ることを目的とする。
【課題を解決するための手段】
【０００６】
本発明の操作装置は、回転操作される操作部材と、前記操作部材により囲まれており且つ前記操作部材を回転操作したときに前記操作部材と一体回転する押圧操作部材と、前記操作部材を回転操作したときに前記操作部材及び前記押圧操作部材と一体回転する導光照明部と、前記操作部材が所定の回転操作位置にあるときに前記導光照明部に照明光を供給する照明光供給部と、を有することを特徴としている。
【０００７】
前記照明光供給部は、前記操作部材の回転操作位置に応じて、前記導光照明部に異なる色の照明光を供給することができる。
【０００８】
前記導光照明部は、照明光入射部を有しており、前記照明光供給部は、前記操作部材が前記所定の回転操作位置にあるときに前記照明光入射部に照明光を出射する発光源を有することができる。
【０００９】
本発明の操作装置は、前記操作部材が前記所定の回転操作位置にあるときに前記発光源を発光させ、前記操作部材が前記所定の回転操作位置にないときに前記発光源を発光させない発光制御部をさらに有することができる。
【００１０】
前記導光照明部は、前記押圧操作部材と前記操作部材の間の空間を埋めながら発光することができる。
【００１１】
本発明の操作装置は、別の態様では、複数の機能から一の機能を選択する為に操作される第１操作部材と、前記第１操作部材の近傍に配置され、前記第１操作部材の選択機能に応じて所定の状態の光束を発する発光部と、前記第１操作部材と前記発光部の近傍に配置され、前記第１操作部材により選択された機能を発揮させる為に操作される第２操作部材と、前記第１操作部材が所定の操作位置にあるときに前記発光部から光束を供給される導光照明部と、を有し、前記第１操作部材と前記第２操作部材は、互いに異なる方向に操作され、前記第１操作部材を操作したときに、前記第１操作部材と前記第２操作部材と前記導光照明部が一体変位する、ことを特徴としている。
【００１２】
本発明の回転操作ダイヤル装置は、回転操作される回転操作ダイヤルと、前記回転操作ダイヤルを回転操作したときに前記回転操作ダイヤルと一体回転する一体回転部材と、前記回転操作ダイヤルを回転操作したときに前記回転操作ダイヤル及び前記一体回転部材と一体回転する導光照明部と、前記回転操作ダイヤルが所定の回転操作位置にあるときに前記導光照明部に照明光を供給する照明光供給部と、を有し、前記一体回転部材は、前記回転操作ダイヤルと異なる方向に変位する変位操作部材からなる、ことを特徴としている。
本発明の回転操作ダイヤル装置は、別の態様では、回転操作される環状の回転操作ダイヤルと、前記環状の回転操作ダイヤルにより囲まれており且つ前記環状の回転操作ダイヤルを回転操作したときに前記環状の回転操作ダイヤルと一体回転する円形の押圧操作部材と、前記環状の回転操作ダイヤルを回転操作したときに前記環状の回転操作ダイヤル及び前記円形の押圧操作部材と一体回転する導光照明部と、前記環状の回転操作ダイヤルが所定の回転操作位置にあるときに前記導光照明部に照明光を供給する照明光供給部と、を有し、前記導光照明部は、前記環状の回転操作ダイヤルと前記円形の押圧操作部材の間の環状空間を埋めながら発光する、ことを特徴としている。
【００１３】
本発明の電子機器は、上述したいずれかの操作装置または回転操作ダイヤル装置を備えている。
【発明の効果】
【００１４】
本発明によれば、照明機能を実現するための構造部の小型化、簡単化、低コスト化、部品点数の減少を図った、使いやすい操作装置及び回転操作ダイヤル装置並びにこれらを備えた電子機器を得ることができる。
【図面の簡単な説明】
【００１５】
【図１】本発明による回転操作ダイヤル装置を搭載したデジタルカメラ（電子機器、光学機器）を示す分解斜視図である。
【図２】回転操作ダイヤルがデジタルカメラの電源オン（静止画撮影モードまたは動画撮影モード）に対応する回転操作位置（所定の回転操作位置）にあるときを示す断面図である。
【図３】回転操作ダイヤルがデジタルカメラの電源オフに対応する回転操作位置にあるときを示す平面図である。
【図４】回転操作ダイヤルがデジタルカメラの電源オン（静止画撮影モード）に対応する回転操作位置（所定の回転操作位置）にあるときを示す平面図である。
【図５】回転操作ダイヤルがデジタルカメラの電源オン（動画撮影モード）に対応する回転操作位置（所定の回転操作位置）にあるときを示す平面図である。
【発明を実施するための形態】
【００１６】
図１〜図５を参照して、本発明による回転操作ダイヤル装置１０をデジタルカメラ（電子機器、光学機器）１００に適用した実施形態を説明する。
【００１７】
回転操作ダイヤル装置１０は、同軸上に配置された、回転操作ダイヤル（操作部材）２０と、ライトガイド（導光照明部）３０と、シャッタレリーズボタン（押圧操作部材）４０とを有している。
【００１８】
回転操作ダイヤル２０は、非透光性の樹脂材料からなる。回転操作ダイヤル２０は、環状をなしており、カメラボディ１１０に形成された取付孔１１２に回転自在に取り付けられている（嵌め込まれている）。回転操作ダイヤル２０は、その環状表面に、デジタルカメラ１００の電源オフを示す指標２２と、デジタルカメラ１００の電源オン（静止画撮影モード）を示す指標２４と、デジタルカメラ１００の電源オン（動画撮影モード）を示す指標２６とを有している。回転操作ダイヤル２０を回転操作して、これらの指標２２、２４、２６をカメラボディ１１０の指標１１４と一致させることで、デジタルカメラ１００の電源オフ、電源オン（静止画撮影モード）、電源オン（動画撮影モード）を設定することができる。図示は省略しているが、回転操作ダイヤル装置１０は、回転操作ダイヤル２０の指標２２、２４、２６をカメラボディ１１０の指標１１４と一致させたときにクリック感を与えるためのクリック機構を有している。
【００１９】
ライトガイド３０は、透光性の樹脂材料からなる。ライトガイド３０は、筒状をなしており、回転操作ダイヤル２０の内周面に接着固定されている（回転操作ダイヤル２０と一体化されている）。このため、ライトガイド３０は、回転操作ダイヤル２０を回転操作したときに該回転操作ダイヤル２０と一体回転（一体変位）する。ライトガイド３０は、その下端部に、周方向に１８０°間隔で対向配置された一対の照明光入射部３２を有している。ライトガイド３０は、その上端部に、照明光入射部３２から入射した照明光を出射する環状の照明光出射部３４を有している。
【００２０】
回転操作ダイヤル２０とライトガイド３０の結合体は、３つのビス挿通孔５１に挿通した３つのブラシ台座ビス５２により、カメラボディ１１０の内面側からブラシ台座５０に固定されている。このため、回転操作ダイヤル２０とライトガイド３０の結合体、及び、ブラシ台座５０は、取付孔１１２を介してカメラボディ１１０を内面側と外面側から挟み込んだ状態で一体に回転摺動する。ブラシ台座５０は、ライトガイド３０の一対の照明光入射部３２を露出させる一対の露出孔５３を有している。別言すると、ライトガイド３０の下端部は、一対の露出孔５３から露出した一対の照明光入射部３２を除いた殆どの部分がブラシ台座５０によって覆われている。この構成により、回転操作ダイヤル２０とライトガイド３０の結合体をブラシ台座５０に固定するための構造部の小型化、簡単化、低コスト化、部品点数の減少を図ることができる。
【００２１】
ブラシ台座５０にはブラシ５４が固定されている。このブラシ５４は、回転操作ダイヤル２０の回転に同期して、カメラボディ１１０の内部に固定された回路パターン５６と接触摺動する。デジタルカメラ１００は、ブラシ５４と回路パターン５６の接触位置により、回転操作ダイヤル２０の回転操作位置を検出することができる。
【００２２】
シャッタレリーズボタン４０は、非透光性の樹脂材料からなる。シャッタレリーズボタン４０は、平面視で円形かつ断面視でＴ字形をなし、回転操作ダイヤル２０とライトガイド３０の結合体に取り囲まれている。回転操作ダイヤル２０とシャッタレリーズボタン４０は、互いに嵌合するキー溝とキーを有しており、このキー溝とキーの嵌合関係によって、回転操作ダイヤル２０とライトガイド３０とシャッタレリーズボタン４０が一緒に回転するようになっている。これにより、シンプルな構成で心地良い（しっかりした）操作感を得ることができる。仮に、シャッタレリーズボタン４０が回転操作ダイヤル２０とライトガイド３０の結合体に対して自由に回転できる構造（連れ回らない構造）であると、これらの支持構造が複雑になるとともに、ぐらぐらして操作感が悪くなってしまう。シャッタレリーズボタン４０は、抜け止めワッシャ４２により抜け止められ、付勢ばね４４により上方に付勢されている。付勢ばね４４の付勢力に抗して、シャッタレリーズボタン４０を半押し操作することによりオートフォーカスや自動露出調整等の処理が行われ、シャッタレリーズボタン４０を全押し操作することにより撮影処理が行われる。シャッタレリーズボタン４０の半押し操作、全押し操作はシャッタレリーズボタン４０の断面視Ｔ字形の足が、二段スイッチを有するレリーズスイッチ８０を押圧することによって感知される。
【００２３】
カメラボディ１１０の内部には、レリーズスイッチ（押圧感知部材）８０の周囲の同一面上に、周方向に１８０°間隔で対向配置された一対の緑色ＬＥＤ（照明光供給部、第一色発光源）６０と、周方向に１８０°間隔で対向配置された一対の赤色ＬＥＤ（照明光供給部、第二色発光源）７０とが固定されている。一対の緑色ＬＥＤ６０と一対の赤色ＬＥＤ７０は、周方向の位相をずらして配置されている。図２から分かるように、内側から、レリーズスイッチ８０、一対の緑色ＬＥＤ６０と一対の赤色ＬＥＤ７０、回路パターン５６の順に、同一面（同一基板）上に配置されている。
【００２４】
図３に示すように、一対の緑色ＬＥＤ６０と一対の赤色ＬＥＤ７０は、回転操作ダイヤル２０が、回転操作ダイヤル２０の指標２２がカメラボディ１１０の指標１１４と一致したデジタルカメラ１００の電源オフに対応する回転操作位置にあるときに、ライトガイド３０の一対の照明光入射部３２と平面的に重ならず、ブラシ台座５０によって遮られる。このため、一対の緑色ＬＥＤ６０と一対の赤色ＬＥＤ７０の照明光がライトガイド３０の一対の照明光入射部３２に入射することはない。
【００２５】
図２、図４に示すように、一対の緑色ＬＥＤ６０は、回転操作ダイヤル２０が、回転操作ダイヤル２０の指標２４がカメラボディ１１０の指標１１４と一致したデジタルカメラ１００の電源オン（静止画撮影モード）に対応する回転操作位置（所定の回転操作位置）にあるときに、ライトガイド３０の一対の照明光入射部３２の直下に位置する。そして一対の緑色ＬＥＤ６０が発した緑色の照明光は、ライトガイド３０の一対の照明光入射部３２から入射して環状の照明光出射部３４から出射する。すなわち、ライトガイド３０の照明光出射部３４は、非透光性の樹脂材料からなる回転操作ダイヤル２０とシャッタレリーズボタン４０の間の環状空間を埋めながら緑色に発光して照明する。
【００２６】
図２、図５に示すように、一対の赤色ＬＥＤ７０は、回転操作ダイヤル２０が、回転操作ダイヤル２０の指標２６がカメラボディ１１０の指標１１４と一致したデジタルカメラ１００の電源オン（動画撮影モード）に対応する回転操作位置（所定の回転操作位置）にあるときに、ライトガイド３０の一対の照明光入射部３２の直下に位置する。そして一対の赤色ＬＥＤ７０が発した赤色の照明光は、ライトガイド３０の一対の照明光入射部３２から入射して環状の照明光出射部３４から出射する。すなわち、ライトガイド３０の照明光出射部３４は、非透光性の樹脂材料からなる回転操作ダイヤル２０とシャッタレリーズボタン４０の間の環状空間を埋めながら赤色に発光して照明する。
【００２７】
図１に示すように、デジタルカメラ１００は、カメラボディ１１０の内部のＣＰＵの一機能として、一対の緑色ＬＥＤ６０と一対の赤色ＬＥＤ７０の発光を制御する発光制御部１２０を有している。発光制御部１２０は、回転操作ダイヤル２０が所定の回転操作位置にあるときにだけ、すなわち、一対の緑色ＬＥＤ６０または一対の赤色ＬＥＤ７０の直上にライトガイド３０の一対の照明光入射部３２が位置しているときにだけ、一対の緑色ＬＥＤ６０と一対の赤色ＬＥＤ７０のいずれか一方を選択的に発光させる（図２、図４、図５）。一方、発光制御部１２０は、回転操作ダイヤル２０が所定の回転操作位置にないときには、すなわち、一対の緑色ＬＥＤ６０と一対の赤色ＬＥＤ７０がライトガイド３０の一対の照明光入射部３２と平面的に重ならずブラシ台座５０によって遮られているときには、一対の緑色ＬＥＤ６０と一対の赤色ＬＥＤ７０を発光させない（図３）。
【００２８】
このように、本実施形態の回転操作ダイヤル装置１０では、回転操作ダイヤル２０が所定の回転操作位置にあるときにだけ、一対の緑色ＬＥＤ６０と一対の赤色ＬＥＤ７０のいずれかの照明光が、ライトガイド３０の一対の照明光入射部３２に供給される。これにより、照明機能を実現するための構造部の小型化、簡単化、低コスト化、部品点数の減少を図ることができる。また、静止画撮影モード、動画撮影モードのいずれかを選択する回転操作ダイヤル２０と、選択された機能を発揮する為のシャッタレリーズボタン４０と、ライトガイド３０の照明光出射部３４とが近接して配置されているので、周囲が暗い撮影環境下においても、選択中の機能（静止画撮影モードか動画撮影モードか）と、その機能を切り替える部材の位置、その機能を発揮させる（静止画を撮影するか動画を撮影するかの、いずれかの機能を発揮する）為の部材の位置が容易に認識できるので、使いやすい操作装置を得ることができる。
【００２９】
また、一対の緑色ＬＥＤ６０と一対の赤色ＬＥＤ７０は、回転操作ダイヤル２０の回転操作位置に応じて、ライトガイド３０の一対の照明光入射部３２に異なる色の照明光を供給してこれを発光させる。これにより、夜間等の暗い状況下で極めて優れた美観と視認性を発揮することができる。
【００３０】
以上の実施形態では、回転操作ダイヤル装置１０によりデジタルカメラ１００の電源オフ、電源オン、動画撮影モードを設定する場合を例示して説明した。しかし、回転操作ダイヤル装置１０は、デジタルカメラ１００の撮影モード、例えば、静止画撮影モード、動画撮影モード、ライブビューモード、風景撮影モード、夜景撮影モード、水中撮影モード、ＨＤＲ撮影モードを設定するものであってもよい。
【００３１】
以上の実施形態では、本発明の回転操作ダイヤル装置１０をデジタルカメラ１００に適用した場合を例示して説明した。しかし、本発明の回転操作ダイヤル装置１０は、例えば、オーディオ機器の音量調節やエアーコンディショナーの温度調節等の電子機器において各種設定を行うために適用することができる。
【００３２】
以上の実施形態では、「照明光供給部、発光源」として緑色ＬＥＤ６０と赤色ＬＥＤ７０の二色のＬＥＤを設けた場合を例示して説明した。しかし、「照明光供給部、発光源」としては、ＬＥＤ以外の光源であってもよく、緑色と赤色以外の色の照明光であってもよく、三色以上の照明光であってもよい。また、色の変更の代わりに、または色の変更と同時に、点滅周期などの照明光の発光状態を変えても良い。
【００３３】
以上の実施形態では、本発明の操作装置を回転操作ダイヤル装置１０に適用した場合を例示して説明したが、本発明の操作装置は、スライドスイッチ等の他の方式の操作装置にも同様に適用することができる。本発明の操作装置を適用したスライドスイッチは、スライド操作部材と、スライド操作部材をスライド操作したときに該スライド操作部材と一体にスライドするライトガイドと、スライド操作部材が所定のスライド操作位置にあるときにライトガイドに照明光を供給する照明光供給部とを有することができる。
【符号の説明】
【００３４】
１０  回転操作ダイヤル装置
２０  回転操作ダイヤル（操作部材、第１操作部材）
２２  ２４  ２６  指標
３０  ライトガイド（導光照明部）
３２  照明光入射部
３４  照明光出射部
４０  シャッタレリーズボタン（押圧操作部材、第２操作部材）
４２  抜け止めワッシャ
４４  付勢ばね
５０  ブラシ台座
５１  ビス挿通孔
５２  ブラシ台座ビス
５３  露出孔
５４  ブラシ
５６  回路パターン
６０  緑色ＬＥＤ（照明光供給部、発光源、第一色発光源）
７０  赤色ＬＥＤ（照明光供給部、発光源、第二色発光源）
８０  レリーズスイッチ（押圧感知部材）
１００  デジタルカメラ（電子機器、光学機器）
１１０  カメラボディ
１１２  取付孔
１１４  指標
１２０  発光制御部
【図１】
0006458405.tif 000002
【図２】
0006458405.tif 000003
【図３】
0006458405.tif 000004
【図４】
0006458405.tif 000005
【図５】
0006458405.tif 000006